(57)【要約】【課題】好気的生物反応系の活性汚泥濃度を適正且つ安定に維持すること。【解決手段】１日当たりの好気時間に規定された好気的生物反応系の汚泥滞留時間（Ａ‐ＳＲＴ）と予め設定された当該反応系の所望の活性汚泥濃度とで規定された１日当たりの目標系外排出量に基づくタイムチャートに準じて当該反応系の液相を系外排出する活性汚泥濃度制御方法において、前記反応系の活性汚泥濃度の測定値が前記所望の濃度の値またはこの値に基づく上限値よりも高い場合には前記タイムチャートに準じた系外排出を実行する。一方、前記測定値が前記所望の値またはこの値に基づく下限値よりも低い場合には前記系外排出を実行しない。【選択図】図２
2014000538.tif 000002
【特許請求の範囲】
【請求項１】
１日当たりの好気時間で規定された好気的生物反応系の汚泥滞留時間と予め設定された当該反応系の活性汚泥濃度とで規定された１日当たりの目標系外排出量に基づくスケジュールに準じて当該反応系の液相を系外排出する活性汚泥濃度制御方法において、
前記反応系の活性汚泥濃度の測定値が前記設定された濃度の値またはこの値に基づく上限値よりも高い場合には前記スケジュールに準じた系外排出を実行し、
前記測定値が前記設定された値またはこの値に基づく下限値よりも低い場合には前記系外排出を実行しないこと
を特徴とする活性汚泥濃度制御方法。
【請求項２】
前記反応系の活性汚泥濃度の測定値が前記設定された濃度の値またはこの値に基づく上限値よりも高い値が継続する場合には前記活性汚泥濃度の測定異常であると判断すること
を特徴とする請求項１に記載の活性汚泥濃度制御方法。
【請求項３】
ＭＬＳＳ濃度測定手段の保守工程終了後であっても前記反応系の活性汚泥濃度の測定値が前記設定された濃度の値またはこの値に基づく上限値よりも高い値が再び継続する場合には流入負荷状況の変化であると判断すること
を特徴とする請求項１または２に記載の活性汚泥濃度制御方法。
【発明の詳細な説明】
【技術分野】
【０００１】
本発明は膜分離活性汚泥法における生物反応系の活性汚泥濃度の制御技術に関する。
【背景技術】
【０００２】
下排水の処理方法として広く活性汚泥法が採用されている。活性汚泥法は微生物の作用により汚水中の有機物等を分解する方法で、標準活性汚泥法（以下、標準法）、オキシデーションディッチ法、回分式活性汚泥法、循環式硝化脱窒法、嫌気無酸素好気法等がある。そして、近年、活性汚泥混合液の固液分離の分離膜を利用した膜分離活性汚泥法（以下、ＭＢＲ法）の普及が進んでいる。ＭＢＲ法は活性汚泥を滞留させた好気槽内に分離膜を備えたことで重力濃縮型の固液分離施設を要することなく活性汚泥混合液から活性汚泥を分離することができる。
【０００３】
活性汚泥法では有機物等の分解に伴い微生物が増殖する。活性汚泥法において汚水処理系に供給される汚水の負荷量等に応じて汚泥量を適正範囲に保つことは安定した処理水質を得るということ、また、省エネルギーの観点からも重要である。適正な汚泥量の維持は一般的には増殖した余剰の汚泥を系外の汚泥処理系に移送することで行われている。
【０００４】
生物反応系の余剰汚泥引き抜き方法としては、タイマ制御により定期的に余剰汚泥を一定量（一定流量）引き抜く方法や、生物反応系のＭＬＳＳ濃度（活性汚泥濃度）が一定となるように余剰汚泥の引き抜きを制御するＭＬＳＳ制御法が知られている（特許文献１等）。または、生物反応系のＳＲＴ（sludge retention time，汚泥滞留時間）が一定となるように余剰汚泥の引き抜きを制御するＳＲＴ制御法が知られている（特許文献２、非特許文献１等）。尚、ＳＲＴ（日）は以下の式で定義される。
【０００５】
ＳＲＴ（日）＝（ＭＬＳＳ濃度（ｍｇ／Ｌ）×生物反応系実効容積（ｍ3））／生物反応系の汚泥引き抜き量（ｋｇ／日）
特に、ＳＲＴ制御法は、流入負荷が上昇すると系内汚泥量も増大させる制御を行い、流入負荷に対する汚泥量の比が適正範囲に保持されるので、理想的な制御法である。
【０００６】
一方、ＭＬＳＳ制御法は、最終沈殿池からの返送汚泥の濃度変化により生物反応系のＭＬＳＳ濃度の制御が難しいことや、ＭＬＳＳ計の検出面の汚損のために実際よりも高い値が示すことなどによる信頼性の懸念などから、生物反応系のＭＬＳＳ濃度を適正範囲に制御することに適用されることは少ない。
【０００７】
したがって、標準法による処理施設では、一般的に、汚泥のＭＬＳＳ濃度の値に関係なく定期的に汚泥を定量的に引き抜く方法や、ＳＲＴから算出される生物反応系の汚泥引き抜き量と平均的な引き抜き汚泥のＭＬＳＳ濃度の値から算出した汚泥引き抜き量（ｍ3／日）となるように汚泥引き抜きポンプを定期的に運転して汚泥を引く抜く方法が採られている。
【０００８】
一方、ＭＢＲ法は、標準法の重力濃縮型の固液分離系に代えて、好気的生物反応系内で分離膜により固液分離を確実に行える処理法である。これにより、ＭＢＲ法では、活性汚泥の沈降性を考慮することなく、前記反応系のＭＬＳＳ濃度を標準法における好気的生物反応系のＭＬＳＳ濃度よりも高く設定できる。
【０００９】
例えば、標準法における好気的生物反応系のＭＬＳＳ濃度が１０００〜３０００ｍｇ／Ｌ程度であるのに対し、ＭＢＲ法における好気的生物反応系のＭＬＳＳ濃度は８０００〜１２０００ｍｇ／Ｌ程度である。ＭＢＲ法では、ＭＬＳＳ濃度を高くできるので、好気的生物反応系の槽容量を縮小できるメリットがある。
【００１０】
ＭＢＲ法の処理施設は好気槽のＭＬＳＳ濃度の値が標準法に比べて高い値で運転されるので、処理施設からの余剰汚泥の引き抜きは好気槽内の液相を直接引き抜くことで対応が可能となっている。
【００１１】
そして、ＭＢＲ法の生物反応系の余剰汚泥引き抜き方法に関しても、ＭＬＳＳ制御法は標準法における処理施設の場合と同様にＭＬＳＳ濃度の制御が難しいことやＭＬＳＳ計の信頼性の懸念から適用されることが少ないため、余剰汚泥の引き抜き制御（Ａ‐ＳＲＴ制御）を利用することが多い（非特許文献２）。
【００１２】
Ａ‐ＳＲＴ制御とは、好気槽の実効容積をＡ‐ＳＲＴ（aerated sludge retention time，１日当たりの好気時間で規定された好気槽の汚泥滞留時間）で除して算出される１日当たりの汚泥引き抜き量に基づく余剰汚泥の引き抜き制御である。そして、ＭＢＲ法ではＭＬＳＳ濃度を高く維持した運転が可能なことから、Ａ‐ＳＲＴ制御は比較的容易に行える。尚、Ａ‐ＳＲＴは以下の式で定義される。
【００１３】
Ａ‐ＳＲＴ＝（１日当たりの好気時間／２４）×ＳＲＴ
図３にＭＢＲ法における一般的な余剰汚泥の引き抜きの事例を示した。
【００１４】
図３（ａ）は基本型ＭＢＲ施設３０の汚泥引抜ポンプＰ１のタイムチャートを示す。ＭＢＲ施設３０は、被処理水ＷＷが供給される好気槽３１と、この槽３１内に具備され槽３１内液相を活性汚泥と処理水Ｗとに固液分離する分離膜を有する膜モジュール３２と、前記液相の一部を余剰汚泥ＳＬとして系外排出する汚泥引抜ポンプＰ１とを備える。被処理水ＷＷが供給されている好気槽３２内の液相は膜モジュール３２によって固液分離処理される。この処理の間、汚泥引抜ポンプＰ１が図示のタイムチャートに基づき定期的に運転（ＯＮ）、停止（ＯＦＦ）されることで好気槽３２内液相の一部が定量的に引き抜かれる。
【００１５】
図３（ｂ）は循環式消化脱窒型ＭＢＲ施設４０の循環汚泥ポンプＰ２，制御弁ＳＶ１，ＳＶ２のタイムチャートを示す。ＭＢＲ施設４０は、被処理水ＷＷが供給される無酸素槽４１と、この槽４１内液相を受け入れる好気槽４２と、この槽４２内に具備されこの槽４２内液相を活性汚泥と処理水Ｗとに固液分離する膜モジュール４３とを備える。ＭＢＲ施設４０に具備された制御弁ＳＶ１，ＳＶ２は予め設定された図示のタイムチャートに基づき定期的に開（Ｏ）閉（Ｓ）動作する。被処理水ＷＷは無酸素槽４１を介して好気槽４２に供される。好気槽４２内液相は膜モジュール４３によって固液分離処理される。この処理の時間帯において、前記液相の一部は循環汚泥ポンプＰ２の運転（ＯＮ）によって制御弁ＳＶ１を介して定期的に無酸素槽４１に返送される。また、前記液相の一部は余剰汚泥（ＳＬ）として定期的に制御弁ＳＶ２を介して系外に排出される。
【００１６】
尚、通常、ＭＢＲ法の処理施設は、膜モジュール（詳細図示略）、関連膜ろ過設備（図示略）、無酸素槽、無酸素槽攪拌機（図示略），好気槽，曝気用ブロワ（図示略），汚泥引き抜きポンプ又は循環汚泥ポンプからなる。
【００１７】
膜モジュール（詳細図示略）は、複数の膜エレメントを組み合わせ一体化したものである。この膜モジュールに加えて散気部（生物処理や攪拌・膜洗浄に必要な空気の供給を行う部分）や集水部（処理水を引き抜き集水する部分）等から構成されたものを膜ユニットと呼ばれる。
【００１８】
関連膜ろ過設備（図示略）は、ろ過ポンプ、逆洗ポンプ、処理水タンク、薬注ポンプ、薬注タンク、膜洗浄用ブロワ等から構成される。
【先行技術文献】
【非特許文献】
【００１９】
【非特許文献１】日本下水道協会著，「下水道施設計画・設計指針と解説」，第２節  ３．活性汚泥法の設計因子と操作因子，日本下水道協会出版，２００９年１０月，ｐｐ．２６〜３４
【非特許文献２】森田  美也，“ＪＳ技術開発情報メールＮｏ.５４  Ａ‐ＳＲＴ制御について”，［online］，２００６年６月，地方共同法人日本下水道事業団，［２０１２年３月２６日検索］，インターネット＜URL://www.jswa.go.jp/g/g5/g5m/im/pdf/i11.pdf＞
【特許文献】
【００２０】
【特許文献１】特開平９−１６８７９１号公報
【特許文献２】特開平４−１６６２９５号公報
【発明の概要】
【発明が解決しようとする課題】
【００２１】
図４は処理施設の生物反応系における余剰汚泥の引き抜き量と好気槽のＭＬＳＳ濃度との関係を示す。余剰汚泥の引き抜き量は１日当たりの汚泥引き抜き量（ｍ3／日）であり、その値は処理施設の規模とその処理方法や条件等により決定される。図４から、一般的な標準法で採用されるＭＬＳＳ濃度の領域（例えば、１０００〜３０００ｍｇ／Ｌ程度）では、引き抜き量に多少の誤差があったとしても、その汚泥引き抜き量の誤差がＭＬＳＳ濃度の変化に及ぼす影響は小さいことがわかる。これに対して、一般的なＭＢＲ法で採用されるようなＭＬＳＳ濃度が高濃度となる領域（例えば、８０００〜１２０００ｍｇ／Ｌ程度）では、引き抜き量の僅かな誤差がＭＬＳＳ濃度の変化に大きく影響することがわかる。
【００２２】
ＭＢＲ法では、生物反応系におけるＭＬＳＳ濃度レベルは処理水の水質に密接に関わるのでＭＬＳＳ濃度を適正な範囲に保つことが非常に重要である。
【００２３】
ＭＢＲ法での余剰汚泥の引き抜きは設定したＡ‐ＳＲＴから導き出した１日当たりの汚泥引き抜き量（ｍ3／日）を１日に１回から数回に分けて予め定められた前記タイムチャートに準じてポンプや制御弁を動作させている。
【００２４】
前記タイムチャートに基づくポンプや制御弁の制御による余剰汚泥の引き抜きはＭＢＲの生物反応系のＭＬＳＳ濃度の値やその経時的変化に関係なく実行されるので、過剰な汚泥の引き抜きにより、適正なＭＬＳＳ濃度を確保できなくなる可能性がある。
【００２５】
図３のＭＢＲ法の処理施設において、汚泥引き抜きポンプＰ１や循環汚泥ポンプＰ２に用いられるポンプは、汚泥の移送が主目的であり一般的には汚泥ポンプを用いることが多い。汚泥ポンプは粘性の高い余剰汚泥の移送機能に優れており、例えば吸込スクリュー式汚泥ポンプなどである。このような汚泥ポンプでは、一般的にポンプの回転速度を制御することで流量制御を行い定量送液が可能である。しかしながら、前記タイムチャートに準じて各機器を動作させ汚泥引き抜きを行う場合、汚泥性状（水分、粘性等）の変動などの要因によってポンプの起動時毎に送液流量の変化が生じやすい。その結果、前記タイムチャ−トの各々のポンプ起動のタイミングで引き抜かれる汚泥量にばらつきが生じてしまうこととなる。
【００２６】
高いＭＬＳＳ濃度に設定されたＭＢＲの生物反応系では、汚泥の引き抜き量に誤差が生じて該反応系のＭＬＳＳ濃度が大きく変化してしまうことで、当該反応系にとって適正なＭＬＳＳ濃度の維持を図れなくなる。そのため、各々のポンプ起動のタイミングで引き抜かれる汚泥量を積算して誤差を解消させる方法もあるが複雑な制御となりまた設備コストも高価となるので実用的ではない。
【課題を解決するための手段】
【００２７】
そこで、請求項１の活性汚泥濃度制御方法は、１日当たりの好気時間で規定された好気的生物反応系の汚泥滞留時間と予め設定された当該反応系の活性汚泥濃度とで規定された１日当たりの目標系外排出量に基づくスケジュールに準じて当該反応系の液相を系外排出する活性汚泥濃度制御方法において、前記反応系の活性汚泥濃度の測定値が前記設定された濃度の値またはこの値に基づく上限値よりも高い場合には前記スケジュールに準じた系外排出を実行し、前記測定値が前記設定された値またはこの値に基づく下限値よりも低い場合には前記系外排出を実行しない。
【００２８】
請求項２の活性汚泥濃度制御方法は、前記反応系の活性汚泥濃度の測定値が前記設定された濃度の値またはこの値に基づく上限値よりも高い値が継続する場合には前記活性汚泥濃度の測定異常であると判断する。
【００２９】
請求項３の活性汚泥濃度制御方法は、請求項１または２の活性汚泥濃度制御方法において、ＭＬＳＳ濃度測定手段の保守工程終了後であっても前記反応系の活性汚泥濃度の測定値が前記設定された濃度の値またはこの値に基づく上限値よりも高い値が再び継続する場合には流入負荷状況の変化であると判断する。
【発明の効果】
【００３０】
以上の発明によれば好気的生物反応系の活性汚泥濃度を適正且つ安定に維持できる。
【図面の簡単な説明】
【００３１】
【図１】本発明の実施形態の概略構成図。
【図２】（ａ）はＭＬＳＳ濃度の閾値が１つである場合の汚泥引抜のタイムチャート，（ｂ）はＭＬＳＳ濃度の閾値に上限，下限がある場合の汚泥引抜のタイムチャート。
【図３】（ａ）は基本型ＭＢＲ施設における汚泥引抜ポンプの動作のタイムチャート，（ｂ）は循環式消化脱窒型ＭＢＲ施設における循環汚泥ポンプ，制御弁の動作のタイムチャート。
【図４】余剰汚泥の引き抜き量と好気槽のＭＬＳＳ濃度との関係を示す特性図。
【発明を実施するための形態】
【００３２】
以下に図面を参照しながら本発明の実施形態について説明する。
【００３３】
図１に例示された本実施形態の排水処理施設１はＭＢＲ法に基づく処理施設である。
【００３４】
排水処理施設１は、被処理水ＷＷを受け入れる好気槽２と、この槽２内に設置される膜モジュール３と、好気槽２内液相を定期的に系外排出する排出装置４と、ＭＬＳＳ計５にて測定された前記液相のＭＬＳＳ濃度に基づき排出装置４を制御する制御部６を備える。
【００３５】
膜モジュール３は吸引ポンプ７の吸引力によって好気槽２内の液相をろ過することにより活性汚泥と処理水Ｗとに固液分離する。分離された活性汚泥は好気槽２内に留まる一方で処理水Ｗは吸引ポンプ７によって系外に移送される。ＭＬＳＳ計５は一般的な排水処理施設にて適用されている周知の仕様のものを採用すればよい。排出装置４としては排水処理施設特に汚泥処理設備で適用されている周知な仕様の汚泥引抜ポンプや制御弁が挙げられる。
【００３６】
好気槽２内液相を定期的に系外排出することでＭＬＳＳ濃度を制御するにあたり、制御部６は好気槽２の汚泥滞留時間と設定ＭＬＳＳ濃度とで規定された１日当たりの系外排出量に基づくスケジュールに準じて好気槽２の液相を系外排出するように排出装置４の動作を制御する。以降、ＭＬＳＳ濃度の制御の目標値をＭＬＳＳ濃度の適正値と称する。
【００３７】
以下にＡ‐ＳＲＴ制御について説明する。
【００３８】
［Ａ‐ＳＲＴ制御の定義］
Ａ‐ＳＲＴ制御モードは、好気槽２のＡ‐ＳＲＴと設定ＭＬＳＳ濃度とで規定された１日当たりの好気槽２の液相の目標系外排出量に基づくスケジュールに準じて排出装置４を動作させる制御である。
【００３９】
Ａ‐ＳＲＴは、１日当たりの好気時間で規定された好気槽２の汚泥滞留時間を意味し、以下の式（１）で定義される。
【００４０】
Ａ‐ＳＲＴ＝（１日当たりの好気時間／２４）×（好気槽２のＭＬＳＳ濃度の適正値×好気槽２の実効容積）／好気槽２の１日当たりの目標系外排出量  …（１）
［パラメータの設定］
Ａ‐ＳＲＴ制御の実行にあたり、予め、好気槽２のＭＬＳＳ濃度の適正値及びこの適正値に基づくＡ‐ＳＲＴ及びこのＡ‐ＳＲＴに規定された前記液相の１日当たりの目標系外排出量、排出時刻並びに排出時間が設定される。
【００４１】
先ず、好気槽２（実効容積（ｍ3））への被処理水の流入負荷状況（被処理水の流入量（ｍ3／日））及び好気槽２のＭＬＳＳ濃度の適正値を達成できるＡ‐ＳＲＴを予め算出する。
【００４２】
Ａ‐ＳＲＴは好気槽２内液相の系外排出を停止した状態で以下の演算により算出できる。すなわち、ＭＬＳＳ濃度の上昇速度から１日での到達ＭＬＳＳ濃度を算出し、この到達ＭＬＳＳ濃度と好気槽２の実効容積とを積算して増殖量を含む汚泥固形物量（Ｘ）を算出する。一方、実測される初期ＭＬＳＳ濃度と好気槽２の実効容積との積算から好気槽２内の初期の総汚泥固形物量（ｘ）が算出できる。Ａ‐ＳＲＴは（１日当たりの好気時間／２４）×（Ｘ／（Ｘ−ｘ））の計算により算出できる（非特許文献２）。
【００４３】
そして、このＡ‐ＳＲＴの算出値と１日当たりの好気時間，ＭＬＳＳ濃度の適正値，好気槽２の実効容積とを代入した式（１）の解として好気槽２内液相の１日当たりの目標系外排出量を算出する。
【００４４】
次いで、前記算出した目標系外排出量を１日当たりの排出回数（例えば１〜２４回）で均等に配分し１回当たりの系外排出量を設定する。１回当たりの系外排出量は排出流量及び排出時間によって設定できる。尚、１回当たりの系外排出量ならびに前記系外排出の間隔は一定である必要はなく、目標系外排出量となる条件を満たせば可変であってもよい。
【００４５】
ＭＬＳＳ濃度の閾値は例えば図２（ａ）に示したようにＭＬＳＳ濃度の適正値が設定される。または、図２（ｂ）に例示したようＭＬＳＳ濃度の適正値に基づく上限値，下限値に設定される。上限値は適正値から一定割合高い値に設定され、下限閾値は前記適正値から一定割合低い値に設定される。例えば、適正値が１００００ｍｇ／Ｌである場合、上限値は当該適正値から５％高い値の１０５００ｍｇ／Ｌに設定され、下限値は当該適正値から５％低い値の９９５００ｍｇ／Ｌに設定される。
【００４６】
［具体的な制御例］
（ＭＬＳＳ濃度の閾値が１つである場合）
好気槽２内の液相は散気装置８によって曝気，攪拌された状態となっている。また、前記液相のＭＬＳＳ濃度はＭＬＳＳ計５によって常時計測される。被処理水ＷＷが好気槽２に供給されている時間帯に吸引ポンプ７が動作して好気槽２内液相が膜モジュール３に供されて固液分離処理される。前記液相から分離された活性汚泥は好気槽２内に留まる一方で処理水Ｗは吸引ポンプ７の吸引力により系外に移送される。
【００４７】
前記液相のＭＬＳＳ濃度の測定値が閾値（例えば１００００ｍｇ／Ｌ）よりも高い場合、排出装置４は制御部６からの図２（ａ）に例示したタイムチャートに基づく運転指令により所定の排出時刻に設定時間だけ当該液相を余剰汚泥ＳＬとして系外排出する。その後、前記測定値が前記閾値に達すると排出装置４は制御部６からの停止指令を受けて前記系外排出を停止する。図示の事例では点線で表示したタイムチャートが中止されたタイムチャートを意味する。以上のように好気槽２内液相のＭＬＳＳ濃度の測定値が適正値付近に制御される。尚、図２（ａ）においては上記動作説明の便宜のためにＭＬＳＳ濃度測定値の経時的変化が模式的に強調表示されている。
【００４８】
（ＭＬＳＳ濃度の閾値に上限，下限がある場合）
被処理水ＷＷが好気槽２に供給されている時間帯は吸引ポンプ７が動作することにより好気槽２内液相が膜モジュール３に供されて固液分離処理される。
【００４９】
好気槽２内液相のＭＬＳＳ濃度の測定値が上限閾値（例えば１０５００ｍｇ／Ｌ）に達すると排出装置４は制御部６からの図２（ｂ）のタイムチャートに基づく運転指令により所定の排出時刻に設定時間だけ当該液相を余剰汚泥ＳＬとして系外排出する。この系外排出は前記測定値が前記上限閾値から下限閾値（例えば９９５００ｍｇ／Ｌ）までの範囲で継続実行される。
【００５０】
そして、前記測定値が前記下限閾値に達すると排出装置４は制御部６からの停止指令を受けて前記系外排出を停止する。図２（ｂ）の事例では点線で表示されたタイムチャートが中止されたチャートを意味する。
【００５１】
その後、前記測定値が前記上限閾値に達するまで前記係外排出は実行しない。そして、再び前記測定値が上昇して前記上限閾値に達すると前記タイムチャートに基づいた系外排出が実行される。
【００５２】
以上のように好気槽２内液相のＭＬＳＳ濃度の測定値が適正値（例えば１００００ｍｇ／Ｌ）付近の範囲（例えば９９５００〜１０５００ｍｇ／Ｌ）内に制御される。尚、図２（ｂ）においても上記動作説明の便宜のためにＭＬＳＳ濃度測定値の経時的変化が模式的に強調表示されている。
【００５３】
［本実施形態の効果］
以上のように排水処理施設１によれば、好気槽２のＡ‐ＳＲＴとＭＬＳＳ濃度の適正値とで規定された１日当たりの好気槽２の液相の目標系外排出量に基づくタイムチャートに準じて排出装置４が制御されるので、好気槽２のＭＬＳＳ濃度が適正且つ安定に維持できる。
【００５４】
具体的には、好気槽２のＭＬＳＳ濃度の測定値が適正値またはこの値に基づく上限値よりも高い場合には前記タイムチャートに準じて当該液相を余剰汚泥ＳＬとして系外排出する。一方、前記測定値が前記適正値またはこの値に基づく下限値よりも低い場合には前記系外排出を実行しない。このように好気槽２内液相のＭＬＳＳ濃度の経時的な変化に応じて当該液相の系外排出を制御するとともに、ＭＬＳＳ濃度の計測値に誤差が生じた場合であっても、Ａ-ＳＲＴの設定以上に余剰汚泥が引き抜かれることがなく過剰な余剰汚泥引き抜きを防止できる。したがって、当該ＭＬＳＳ濃度を適正且つ安定に維持できる。そして、これにより良好に安定した処理水の水質が得られる。
【００５５】
ところで、ＭＬＳＳ計５に測定誤差が生じると適正なＭＬＳＳ濃度で制御することができないことがある。排水処理施設において適用されているＭＬＳＳ計の多くは光学式のものである。光学式のＭＬＳＳ計は光学的検出面に微生物膜が付着するなど汚損により、ＭＬＳＳ濃度の検出値が本来の正しい値よりも高くなることがある。つまり、正の誤差が生じることがある。そのため、ＭＬＳＳ濃度の測定値が閾値または上限閾値よりも高い値が継続する場合には、先に当該濃度の測定異常例えばＭＬＳＳ計の汚損を想定する。
【００５６】
そして、前記測定異常への処置としてＭＬＳＳ計の洗浄等の保守を実行しても上記ＭＬＳＳ濃度の測定値が再び高い状態となる場合には、流入負荷状況の変化を想定する。例えば、ＭＬＳＳ濃度の測定値が前記閾値または上限値よりも高い値が再び継続する場合には流入負荷の恒久的な上昇であると判断する。この判断を受けて、処理状況に応じてＭＬＳＳ濃度の適正値を高めに設定変更するかまたは目標系外排出量を増加させることで対処することになる。
【００５７】
制御部６は、前記ＭＬＳＳ濃度の測定値が閾値または上限閾値よりも高い値が継続する場合には、前記活性汚泥濃度の測定異常であると判断してＭＬＳＳ計５の測定異常の発生を検知及び発信する。そして、前記タイムチャートに準じた系外排出を実行するが、好気槽２からＡ-ＳＲＴの設定以上に余剰汚泥ＳＬを排出することはない。
【００５８】
ＭＬＳＳ計５の測定異常の判断は、例えば、タイムチャートに基づく運転指令が中止されない条件でＭＬＳＳ濃度の測定値が前記閾値または下限閾値へと所定時間内に到達するか否かにより行う。より具体的には、例えば、ＭＬＳＳ濃度の測定値の履歴データから算出した当該測定値の減少速度を予め設定された判断基準値と比較することにより前記測定異常が判断される。前記判断基準値は例えばＭＬＳＳ濃度の測定値が正常（例えば前記閾値以下または前記下限閾値から前記上限閾値の範囲）である場合の系外排出における所定時間内でのＭＬＳＳ濃度の減少量に基づき算出された減少速度の値と定めたものが挙げられる。
【００５９】
以上のように、ＭＬＳＳ濃度の測定値に基づき余剰汚泥ＳＬの系外排出を継続でき、前記計測値に誤差が生じた場合であっても、Ａ-ＳＲＴに基づく１日当たりの系外排出量を越えた過剰な余剰汚泥ＳＬの系外移送を防止できる。そして、前記計測値の履歴データに基づき活性汚泥濃度の測定異常を判断できる。
【符号の説明】
【００６０】
１…排水処理施設
２…好気槽
３…膜モジュール
４…排出装置
５…ＭＬＳＳ計
６…制御部
【図１】
2014000538.tif 000003
【図２】
2014000538.tif 000004
【図３】
2014000538.tif 000005
【図４】
2014000538.tif 000006